(57)【要約】【課題】袋体の内部に合成樹脂製ビーズ等が封入されるクッション材において、底付き状態等の不具合が生じないようにする。【解決手段】マットレス等のクッション材１の袋体２の内部空間を、伸び率６０％以下の基材４によって上下に分割し、上下の空間部５ａ、５ｂ内にポリスチレン製発泡ビーズ等の合成樹脂製ビーズ３を充填するとともに、袋体２の上面部分２ａを、伸び率が１００〜４００％の編布とし、下面部分２ｂを織布とする。また、上部空間部５ａ内の合成樹脂製ビーズ３の充填率を、下部空間部５ｂ内の合成樹脂製ビーズ３の充填率より低くする。【選択図】      図１
2004236857.tif 000002
【特許請求の範囲】
【請求項１】
袋体の内部空間が、伸び率が６０％以下の基材によって上下に分割され、各空間部内に中材が充填されるクッション材であって、前記袋体のうち、少なくとも上部空間部に対応する上面部分は、伸び率が１００〜４００％の編布であり、また、前記中材は、合成樹脂製ビーズであることを特徴とするクッション材。
【請求項２】
前記上部空間部内のビーズの充填率は、下部空間部内のビーズの充填率より低いことを特徴とする請求項１に記載のクッション材。
【請求項３】
袋体の内部空間が、伸び率が６０％以下の基材によって上下に分割され、各空間部内に中材が充填されるクッション材であって、前記袋体のうち、少なくとも上部空間部に対応する上面部分は、伸び率が１００〜４００％の編布であり、また、前記上部空間部内の中材は、合成樹脂製ビーズで、且つ下部空間部内の中材は、軟質ウレタンフォームチップであることを特徴とするクッション材。
【発明の詳細な説明】
【０００１】
【発明の属する技術分野】
本発明は、例えばマットレスや、枕や、座椅子のクッション等のクッション材に関する。
【０００２】
【従来の技術】
従来、座具、枕、マットレス等のクッション材として、荷重がかかったときの衝撃吸収性を良好にするため、袋体の内部に発泡ビーズを封入するとともに、袋体のうち上壁部と周囲側部を伸縮性シート材にすることで、体型に沿った座面の変形を容易にし、また体圧分散効果の向上を図るようなクッション材が知られている。（例えば、特許文献１参照。）
また、このようなビーズ入りクッション材の型崩れや中材の片寄りを防ぐため、身体と接する部分の袋体だけを伸縮性布材にするような技術も知られている。（例えば、特許文献２参照。）
【０００３】
【特許文献１】
実用新案登録第３０８１７５０号公報
【特許文献２】
実用新案登録第３０８２０１６号公報
【０００４】
【発明が解決しようとする課題】
ところが、上記のようなビーズ入りクッションの場合、袋体の内部でビーズが自由に移動するため、特に袋体を伸縮性素材にした場合、変形度が大きくなりすぎて底付き状態になりやすく、部分的にクッション性が損なわれることがある。
【０００５】
そこで本発明は、袋体の内部にビーズ等が封入されるクッション材において、底付き状態等の不具合が生じないようにすることを目的とする。
【０００６】
【課題を解決するための手段】
上記目的を達成するため本発明は、袋体の内部空間が、伸び率が６０％以下の基材によって上下に分割され、各空間部内に中材が充填されるクッション材において、前記袋体のうち、少なくとも上部空間部に対応する上面部分を、伸び率が１００〜４００％の編布とし、また、前記中材を、合成樹脂製ビーズとした。
【０００７】
このように中材に合成樹脂製ビーズを使用することで、クッション性や身体へのフィット感等が良好となって、特にマットレス等の場合は蓐瘡防止に有効であるが、袋体の内部空間を伸び率が６０％以下の基材によって上下に仕切ることにより、クッション材の変形が一定の範囲に限定されるようになり、底付き状態を無くすことが出来る。
この際、少なくとも袋体の上面部分は、伸び率が１００〜４００％の編布とするが、下面部分は任意であり、下面部分を伸び率が６０％以下の伸び率の少ない織布や編布にしても良く、または下面部分を含めて袋体全体を１００〜４００％の編布にしても良い。
また、袋体の内部空間を仕切る伸び率が６０％以下の基材としては、織布、編布、合成樹脂フィルム、織布や編布に合成樹脂を積層した素材等が使用出来る。袋体の内部空間を仕切る基材の伸び率が６０％を超えると、体圧が加わった際のクッション材全体の変形が大きくなり、底付きしてしまう。
尚、伸び率が１００〜４００％の編布としては、例えばラッセル機やトリコット機で編んだ編布や、ウレタンやゴム等の伸縮性を有する糸を使用した編布等によって縦横方向に伸びる編地が好ましい。
ここで、編布や基材の伸び率としては、素材ごとにＪＩＳで規定されており、それぞれの素材に応じた測定方法を選択すれば良い。
袋体を構成する編布の伸び率が１００％未満では、合成樹脂製ビーズによるフィット感が損なわれてしまい、編布の伸び率が４００％を超えると、体圧が加わった際の上部空間の変形が大きくなりすぎて、感触が悪くなる。
【０００８】
また、中材としての合成樹脂製ビーズは、発泡ビーズでも未発泡ビーズでも良く、直径が０．１〜５ｍｍ程度の球状ビーズが好ましい。また、ビーズの原料としては、ポリエチレンやポリプロピレン、ポリスチレン等が適用可能である。
【０００９】
また本発明では、前記上部空間部内のビーズの充填率を、下部空間部内のビーズの充填率より低くするようにした。例えば、上部空間部と下部空間部の体積が同じである場合、上部空間部よりも下部空間部に合成樹脂製ビーズの量を多く充填することにより、下部空間部内よりも上部空間部内のビーズの充填率を低くすることが出来る。
【００１０】
このように、上部空間部内と下部空間部内のビーズの充填率を変え、例えば下部空間部内のビーズの充填率を通常より多めにすることにより、底付き防止を確実にすることが出来、また逆に、上部空間部内の充填率を通常より低くすれば、身体に接する上部空間部内のビーズの移動の自由度が大きくなって、身体へのフィット感等を一層良好にすることが出来る。
【００１１】
また本発明では、袋体の内部空間が、伸び率が６０％以下の基材によって上下に分割され、各空間部内に中材が充填されるクッション材において、前記袋体のうち、少なくとも上部空間部に対応する上面部分を、伸び率が１００〜４００％の編布とし、また、前記上部空間部内の中材を、合成樹脂製ビーズにするとともに、下部空間部内の中材を、軟質ウレタンフォームチップとした。
【００１２】
ここで、通常、軟質ウレタンフォームチップのみを中材として用いたマットレス等の場合、どうしてもクッション材表面に凹凸感が生じてしまう。しかしながら、軟質ウレタンフォームチップを充填した下部空間部の上方に、合成樹脂製ビーズを充填した上部空間部が存在するため、軟質ウレタンフォームチップによる凹凸感を無くすことが出来る。
また、軟質ウレタンフォームチップの上に、ウレタンフォームを積層したクッション材では、ウレタンフォームを通して軟質ウレタンフォームチップに体圧がかかると、この体圧を、ウレタンフォームに接している軟質ウレタンフォームチップの角部だけで受けることになり、体圧分散効果が低くなってしまう。これに対し、軟質ウレタンフォームチップの上に、合成樹脂製ビーズを充填した上部空間部を配置すれば、合成樹脂製ビーズは小さいため軟質ウレタンフォームチップの凹凸面にほぼ均一に体圧を分散することができ、より高い体圧分散効果を得ることが出来る。
更に、合成樹脂製ビーズによるクッション性やフィット感が得られると同時に、軟質ウレタンフォームチップが合成樹脂製ビーズに較べて移動の自由度が低いことから、底付き防止機能が一層高まる。
尚、軟質ウレタンフォームチップのサイズとしては、１〜３ｃｍ角程度が好ましい。
【００１３】
【発明の実施の形態】
本発明の実施の形態について添付した図面に基づき説明する。
ここで、図１は本発明に係るクッション材をマットレスに適用した例を示し、（ａ）は内部構造を示す部分断面図、（ｂ）は（ａ）のＡ−Ａ線断面図、図２、図３はクッション材の別構成例の説明図である。
【００１４】
本発明に係るクッション材は、袋体の内部に合成樹脂製ビーズ等の中材が封入されるクッション材において、底付き状態等の不具合が生じないようにされ、袋体の内部空間を織布によって上下に分割することを特徴としている。
【００１５】
まず、図１は、本発明に係るクッション材をマットレスに適用した例を示しており、このクッション材１は、外部を覆う袋体２と、この袋体２の内部空間に封入される合成樹脂製ビーズ３を備えるとともに、袋体２の内部空間は、伸び率が６０％以下の基材４によって上下の空間部５ａ、５ｂに分割され、各空間部５ａ、５ｂの領域はほぼ均等に分割されるとともに、上部空間部５ａ内の合成樹脂製ビーズ３は、下部空間部５ｂ内の合成樹脂製ビーズ３より、充填率が低い状態で充填されている。
【００１６】
そして、袋体２のうち、上部空間部５ａに対応する上面部分２ａは、ＪＩＳ−Ｌ−１０１８のカットストリップ法により測定した伸び率（測定機：定速伸長形引張試験機、伸長速度：３０ｃｍ／ｍｉｎ、つかみ間距離：１０ｃｍ）が、縦３４０％、横３１０％のナイロン編布を用い、下部空間部５ｂに対応する下面部分２ｂは、ＪＩＳ−Ｌ−１０９６のカットストリップ法により測定した伸び率（測定機：定速伸長形引張試験機、伸長速度：３０ｃｍ／ｍｉｎ、つかみ間距離：２０ｃｍ）が、縦５０％、横２７％のポリエステル織布を用いた。
また、前記袋体２の内部空間を分割する伸び率が６０％以下の基材としては、ＪＩＳ−Ｌ−１０９６のカットストリップ法により測定した伸び率（測定機：定速伸長形引張試験機、伸長速度：３０ｃｍ／ｍｉｎ、つかみ間距離：２０ｃｍ）が、縦５０％、横２７％のポリエステル織布を用いた。
【００１７】
前記合成樹脂製ビーズ３は、本実施例の場合、ポリスチレン製発泡ビーズで平均粒径０．３ｍｍ程度の球状の粒状物である。
【００１８】
以上のようなクッション材１において、マットレス上に身体を載せると、上部空間部２ａ内の低い充填率で充填されている合成樹脂製ビーズ３は自由に移動すると同時に、袋体２の上面部分２ａが伸びて、特に荷重の大きい箇所は沈み込み量が多くなる等、荷重面が体型に沿って任意に変形し、身体のフィット感が良好になり、しかも体圧の分散効果が高まる。
また、上下の空間部５ａ、５ｂを仕切る基材４は、伸び率が縦５０％、横２７％と小さく、しかも袋体２の下面部分２ｂも織布のため、マットレス下面側の大きな変形が抑制され、底付き状態になりにくくい。
【００１９】
ところで、以上のようなマットレスにおいて、袋体２の下面部分２ｂを伸び率の高い編布としても良く、この場合でも、内部の基材４だけの効果でクッション材１全体の大きな変形が抑制されて、底付き感を抑制することが出来る。
また、このように袋体２の下面部分２ｂも伸び率の高い編布にした場合には、下面側を表にしてマットレスとして使用することも出来る。この際、下部空間部５ｂのビーズの充填率は、上部空間部５ａのビーズの充填率より高いため、上面側を表にした場合よりも硬めの感触のマットレスとなるが、ビーズと伸び率の高い編布の効果により、体圧分散性やフィット感は良好である。
更に、袋体２全体が伸び率の高い編布であることから、肌触り感が全体に良くなる等、編布独特の良好な肌触り感を得ることが出来る。
尚、袋体２の伸び率の高い編布としては、編み方で伸び率を良くする代わりに、伸び性の高い糸を使用して伸び率を確保するようにしても良い。
【００２０】
次に、図２は、上下の空間部５ａ、５ｂ内に充填する合成樹脂製ビーズ３の充填率に変化を持たせず、ほぼ同一にした構成例である。
すなわち、袋体２は上面部分２ａも下面部分２ｂも共に伸び率１００〜４００％の編布から構成し、袋体２の内部空間を、伸び率が縦５０％、横２７％の基材４で分割するとともに、上下の空間部５ａ、５ｂに同一の充填率で合成樹脂製ビーズ３を封入している。
【００２１】
この場合も、内部の伸び率の少ない基材４の効果により、クッション材１全体の大きな変形を抑制することが可能で、底付き感を抑制することが出来る。
【００２２】
次に、図３は、下部空間部２ｂ内に軟質ウレタンフォームチップ６を充填するとともに、袋体２の下面部分２ｂを織布にした構成例である。この際、軟質ウレタンフォームチップ６の形状やサイズ等は任意であるが、本実施例では、平均の大きさが１ｃｍ角程度のものとしている。
そして、内部空間を上下に仕切る基材４としては、前記例と同様に伸び率が縦５０％、横２７％の織布であり、また、上部空間部２ａ内には、合成樹脂製ビーズ３（ポリスチレン製発泡ビーズ）を封入し、また、袋体２の上面部分２ａは、伸び率が縦１３５％、横２６０％の綿編布としている。
【００２３】
この場合も、内部の基材４や、軟質ウレタンフォームチップ６や、袋体２の下面部分２ｂの効果によって、底付き状態を抑制することが出来る。
尚、この場合も、袋体２の全体を伸び率の高い編布にしても良い。
【００２４】
尚、本発明は以上のような実施形態に限定されるものではない。本発明の特許請求の範囲に記載した事項と実質的に同一の構成を有し、同一の作用効果を奏するものは本発明の技術的範囲に属する。
例えば、クッション材の用途はマットレスに限られるものではなく、枕や、座具のクッション等であっても良い。
また、基材４の素材としては、必ずしも織布に限られるものではなく、編布や、合成樹脂フィルムや、織布や編布に合成樹脂を積層した素材等でも良い。
【００２５】
【発明の効果】
以上のように本発明に係るクッション材は、袋体の内部空間を伸び率が６０％以下の基材によって上下に分割し、各空間部内に合成樹脂製ビーズ等の中材を充填するとともに、少なくとも上部空間部に対応する袋体の上面部分を、伸び率が１００〜４００％の編布としたため、クッション性や身体へのフィット感等を良好に出来るとともに、底付き状態を防止することが出来る。
この際、上部空間部内のビーズの充填率を、下部空間部内のビーズの充填率より低くすれば、身体へのフィット感等を一層良好にすることが出来、しかも底付き防止を確実にすることが出来る。
また、下部空間部内の中材を軟質ウレタンフォームチップとすれば、クッション材の底付き状態を防止しつつ、体圧分散効果を高めることが出来る。
【図面の簡単な説明】
【図１】本発明に係るクッション材をマットレスに適用した例を示し、（ａ）は内部構造を示す部分断面図、（ｂ）は（ａ）のＡ−Ａ線断面図
【図２】クッション材の別構成例の説明図
【図３】クッション材の更に別の構成例図
【符号の説明】
１…クッション材、２…袋体、２ａ…上面部分、２ｂ…下面部分、３…合成樹脂製ビーズ、４…基材、５ａ…上部空間部、５ｂ…下部空間部、６…軟質ウレタンフォームチップ。
【図１】
2004236857.tif 000003
【図２】
2004236857.tif 000004
【図３】
2004236857.tif 000005